(57)【要約】      （修正有）【課題】台形両側の斜辺設計により、滑らかな傾斜線で顔両側の輪郭を修飾することで、顔立ちがよりきれいで小さく見えるようになる小顔マスクを提供する。【解決手段】マスクは、顔の輪郭の特別な割合に従って、上部が広くて下部が狭い台形形状を採用し、マスクの下縁部を短縮させることにより、顔立ちがより細く見えるようになる。両側に固有の縁飾りを廃棄することで、マスクの縁部が更に薄くて柔らかくなり、縁の生地がより適合され、顔の輪郭線に沿って上から下へ、頬骨から顎骨まで、顔にぴったり合わせることがさらに容易になる。【選択図】図１
0003226521.tif 000002
【実用新案登録請求の範囲】
【請求項１】
本体と、ゴムひもとを備え、前記本体は台形であり、前記本体は、上縁、下縁、及び２つの側縁を含み、前記上縁は前記下縁よりも長く、２つの前記側縁は斜めに下方へ向けて内部に収縮されるように設計され、かつ、前記本体には縁飾りがないことを特徴とする小顔マスク。
【請求項２】
前記上縁と前記下縁の長さの差は、３ｃｍ以下であることを特徴とする請求項１に記載の小顔マスク。
【請求項３】
前記上縁の長さは１７．５ｃｍ〜１９．５ｃｍであることを特徴とする請求項２に記載の小顔マスク。
【請求項４】
前記下縁の長さは１４．５ｃｍ〜１６．５ｃｍであることを特徴とする請求項２あるいは請求項３に記載の小顔マスク。
【請求項５】
前記本体は、少なくとも１つの折畳部を有し、前記本体は、折り畳まれる前の高さが１６．５ｃｍであり、折り畳まれた後の高さが９ｃｍ以下であることを特徴とする請求項１に記載の小顔マスク。
【請求項６】
前記側縁には単列のエンボス模様が設けられ、前記エンボス模様のドット間に所定の距離を離れていることを特徴とする請求項１〜５の何れか一項に記載の小顔マスク。
【請求項７】
前記本体の４つの角は、丸くされていることを特徴とする請求項１に記載の小顔マスク。
【請求項８】
前記ゴムひもは、平たい形状をしており、幅が３．５ｍｍ〜５ｍｍであることを特徴とする請求項１に記載の小顔マスク。
【考案の詳細な説明】
【技術分野】
【０００１】
本考案は、マスクに関し、特に小顔マスクに関する。
【背景技術】
【０００２】
都市の急速な発展につれて、大気汚染が益々深刻になってきたうえに、流行性感染病の盛んにより、空気中に埃や花粉、黴菌などを含む人に有害な様々な汚染物がいっぱいになっている。これにより、マスクの利用がさらに日常化され、マスクは、人々のために、夏に日焼けを防止し、冬に寒さに抵抗するだけではなく、春に花粉や黴菌の攻撃を防ぎ、秋に砂塵を遮断することができ、霧や靄の天気において全時間にケアを与え、人々の生活中に大切な日用品になっている。しかし、従来の平面マスクの市場では、ほとんどのメーカーは、コストの節約や製造の簡単化のために、機能上の研究開発だけに重んじることが多いが、外観に対する改良がなく、やはり矩形の設計を採用しており、まったく見栄えがするとは言えず、現在の若者たちのファッションを求める好みを満たすことができず、大衆の購入や利用しようとする意欲が低下し、感染病の勃発を効果的に予防し、国民全員を保護する効果を達成することができない。
【０００３】
マスクは、年間を通して様々な役割を果たし、その用途が医薬用品に制限されなくなり、次第に人々の生活中に大切な日用品になってくる。マスクは、さらに多くのファッションアイテムを入れることができれば、流行品となり、さらに大きな市場範囲を広げ、日常生活中の空気における有害物の侵入に抵抗するように、より多くの国民を引き付けて広く利用されることが可能になる。
【０００４】
スポンジマスクは市場に登場すると、すぐ若者たちで盛んになり、それは、顔立ちの輪郭を考慮に入れ、着用する時に形がより立体化され、両側が顔により一層合わせ、顔立ちを修飾する効果が達成され、有名人効果と相まって、スポンジマスクはさらにファッションブームに推し進められ、大衆が先を争って模倣することになる。ただし、これらのスポンジマスクは、価格が高いのみならず、見栄えしかしないもので、そのろ過性が一般的な医薬用マスクに遥かに劣っており、全面的な保護ができず、マスクとしての元来の役割を失っている。従って、医薬用マスクは、やはり保護のために最適なものである。
【０００５】
一般的に、市販の医薬用マスクは、殆ど男女でサイズを分けないため、女性にとって、サイズが大きすぎるという致命的な弊害がよく存在し、顔と十分に密着されない問題が発生されるだけではなく、マスク両側の生地が顎骨部でうねりを生じることになり、顔だちの輪郭線が円滑ではなくなり、全体的な見栄えに影響を与える。
【考案の概要】
【考案が解決しようとする課題】
【０００６】
本考案の解決しようとする技術的問題は、上述した従来技術の問題点に対して、台形を呈し、顔に合わせて顔痩せする効果を達成することができる小顔マスクを提供することにある。
【課題を解決するための手段】
【０００７】
上記目的を達成するために、本考案による技術的手段としては、本体と、ゴムひもとを備え、前記本体は、台形を呈し、前記本体は、上縁、下縁及び２つの側縁を備え、前記上縁は、前記下縁よりも長く、２つの前記側縁は、斜めに下方へ向けて内部に収縮されるように設計され、かつ、前記本体に縁飾りがない小顔マスクである。
【０００８】
このマスクの設計には、人の顔立ちの輪郭の割合を考慮に入れ、人の顎骨の幅が一般に頬骨の幅よりも狭いので、上部が広くて下部が狭いような台形カットにより顔痩せする効果を図り、また、左右両側の縁飾り設計を廃棄することにより、縁飾りが超音波でプレスされた後硬すぎるようになり、着用する時に縁が下顎部で膨出され、輪郭線を壊してしまうことが回避されるとともに、両側を顔により一層合わせ、気密性を向上させる。
【０００９】
選択的には、前記上縁と前記下縁の長さの差は３ｃｍ以下である。
【００１０】
選択的には、前記マスク上縁の長さは１７．５ｃｍ〜１９．５ｃｍであることで、マスクが頬骨部を十分に被覆することを確保するが、前記マスクの下縁の長さは、１４．５ｃｍ〜１６．５ｃｍとすることで、マスクの両側の生地を低減し、かつ、下顎の広さに合わせるように、両側の傾斜線で内部へ収縮され、初歩的にマスクの形を顔立ちに合わせる。
【００１１】
選択的には、前記本体は少なくとも１つの折畳部を有し、前記本体は、折り畳まれる前の高さが１６．５ｃｍで、折り畳まれた後の高さが９ｃｍ以下である。マスクは下顎角から下顎までの輪郭線にぴったり合わせることができるために、マスクの設計に、鼻筋から下顎までの長さ、及びマスクが広げられた後に現れた曲線を考慮に入れたので、マスクの高さは９ｃｍ以下であることが好ましく、マスクが長すぎるゆえに十分に合わせないことが回避される。
【００１２】
選択的には、前記側縁に単列のエンボス模様が設けられていることにより、マスクの縁部に生地のうねりという不具合が現れることが防がれ、また、エンボス模様でのドット間の距離が疎になり、即ち、各ドットの間に所定の距離を離れ、その中で、前記所定の距離は、例えば、１ｍｍ〜５ｍｍで、何れの適当な距離であってもよく、これにより、両辺の生地を柔らかくし、マスクの輪郭線を円滑化して顔に合致することができ、スムーズに顔の輪郭線に合わせ、マスクの縁のギャップと隙間を低減し、全面的な保護を図るとともに、「Ｖ」形の小顔という視覚的な効果を作り出し、ほっぺを修飾し、人々の小顔への要望を満たすことができる。
【００１３】
選択的には、前記マスク本体の４つの角は丸くカットされ、縁が円滑に移行して接続されることで、その輪廓線がさらにスムーズになる。
【００１４】
選択的には、前記ゴムひもは平たい形状をし、幅が３．５ｍｍ〜５ｍｍである。平たい設計により、圧力を受ける面積を増加し、圧力を分散させることができ、ユーザが長時間に被っても、快適で圧迫感がない。
【００１５】
本考案の有益な効果は、下記の通りである。
【００１６】
１、本考案は、マスク両側の縁飾りを廃棄すること、及び、単列のエンボス模様に変えることにより、マスクの縁の生地の柔らかさが維持され、マスクが両頬にさらに適合され、マスクと顔との間のギャップと隙間が低減され、マスクの保護力が全面的に強化される。
【００１７】
２、本考案は、上部が広くて下部が狭いような台形カットを採用し、様々な程度の被覆率と輪郭線の利用により、マスクを更に顔に合わせて顔立ちを修飾する。
【００１８】
３、本考案のマスクは、折り畳まれた後の高さが９ｃｍ内に収められることで、マスクを更に下顎の輪郭線に合わせることが可能になり、小顏の効果が達成される。
【００１９】
４、本考案のマスクは、様々な顔立ちをもつユーザに選択されるように、様々なサイズを有し、男女を問わず、マスクを被ったら、とても小さな顔立ちをもつことができる。
【図面の簡単な説明】
【００２０】
ここに説明される図面は、本考案をさらに理解するためのもので、本考案の一部を構成し、本考案の模式的な実施例及びその説明は、本考案を解釈するためのものであり、本考案を不正に限定するものではない。
【００２１】
【図１】本考案の実施例による小顔マスクの正面図である。
【図２】本考案の実施例による小顔マスクのサイズ付きの正面図である。
【図３】本考案の実施例による小顔マスクの側面図である。
【００２２】
１００...本体、１１０...上縁、１２０...下縁、１３０...側縁、１４０...エンボス模様、１５１〜１５４...折畳部、２００...ゴムひも
【考案を実施するための形態】
【００２３】
本考案の解決しようとする技術的問題、技術的手段、及び有益な効果をさらに明らかにして分かり易くするために、以下、図面と実施例に組合せて、本考案をさらに詳しく説明する。ここに記載される具体的な実施例は、本考案を解釈するものに過ぎず、本考案を限定するものではないと理解すべきである。
【００２４】
図１に示すように、本考案に係る小顔マスクは、本体１００と、ゴムひも２００とを備え、前記本体１００は、台形を呈し、即ち、上縁１１０が下縁１２０よりも長く、側縁１３０が斜めに下方へ向け、また、前記本体１００の４つの角は、丸くカットされるとともに、縁飾りがない。
【００２５】
このマスクの設計には、女性の顔立ちの輪郭の割合を考慮に入れ、まず、女性の顎骨の広さが狭いので、上部が広くて下部が狭いような台形カットにより顔痩せする効果を作り出し、そして、左右両側の縁飾り設計を廃棄することにより、縁飾りが超音波でプレスされた後硬すぎるようになり、着用する時に縁が下顎部で膨出され、輪郭線を壊してしまうことが回避されるとともに、両側を顔に更に合わせ、気密性を向上させる。最後に、更に男性の顔立ちの輪郭の割合を考慮に入れ、マスクのサイズを調整し、異なるサイズを作り出すことで、男性にも利益を与え、この小顏のマスクにより、小顏の効果を達成する。
【００２６】
第１の実施例は、マスクの最小のサイズであり、主に女性に適用される。
【００２７】
本実施例では、前記上縁１１０と前記下縁１２０の長さの差は、３ｃｍの範囲内に収められる。
【００２８】
本実施例では、前記上縁１１０は、角を丸くカットする前の長さが１７．５ｃｍであるが、前記下縁１２０は、角を丸くカットする前の長さが１４．５ｃｍである。
【００２９】
本実施例では、前記本体１００は、折り畳まれる前の高さが１６．５ｃｍであり、折り畳まれた後の高さが８．５ｃｍである。
【００３０】
本実施例では、前記本体１００は、４つの折畳部、即ち、第１の折畳部１５１、第２の折畳部１５２、第３の折畳部１５３、及び第４の折畳部１５４を有し、第１から第４の折畳部（１５１〜１５４）の長さは１ｃｍである。
【００３１】
本実施例では、前記本体の４つの角は、丸くカットされている。
【００３２】
本実施例では、前記上縁１１０、前記下縁１２０、前記側縁１３０には、単列のエンボス模様１４０が設けられている。
【００３３】
本実施例では、前記ゴムひも２００は、平たいゴムひもであり、幅が３．５ｍｍである。
【００３４】
第２の実施例は、マスクの中型のサイズであり、男性と女性に適用される。
【００３５】
本実施例では、前記上縁１１０と前記下縁１２０の長さの差は、３ｃｍとされている。
【００３６】
本実施例では、前記上縁１１０は、角を丸くカットする前の長さが１８．５ｃｍであるが、前記下縁１２０は、角を丸くカットする前の長さが１５．５ｃｍである。
【００３７】
本実施例では、前記本体１００は、折り畳まれる前の高さが１６．５ｃｍであり、折り畳まれた後の高さが８．９ｃｍである。
【００３８】
本実施例では、前記本体の４つの角は、丸くカットされている。
【００３９】
本実施例では、前記本体１００は、第１の折畳部１５１が１ｃｍ、第２の折畳部１５２と第３の折畳部１５３が０．９ｃｍ、第４の折畳部１５４が１ｃｍである。
【００４０】
本実施例では、前記上縁１１０、前記下縁１２０、前記側縁１３０には、単列のエンボス模様１４０が設けられている。
【００４１】
本実施例では、前記ゴムひも２００は、平たいゴムひもであり、幅が４ｍｍである。
【００４２】
第３の実施例は、マスク最大のサイズであり、主に男性に適用される。
【００４３】
本実施例では、前記上縁１１０と前記下縁１２０の長さの差は、３ｃｍとされている。
【００４４】
本実施例では、前記上縁１１０は、角を丸くカットする前の長さが１９．５ｃｍであるが、前記下縁１２０は、角を丸くカットする前の長さが１６．５ｃｍである。
【００４５】
本実施例では、前記本体１００は、折り畳まれる前の高さが１６．５ｃｍであり、折り畳まれた後の高さが８．９ｃｍである。
【００４６】
本実施例では、前記本体４つの角は、丸くカットされている。
【００４７】
本実施例では、前記本体１００は、第１の折畳部１５１が１ｃｍ、第２の折畳部１５２と第３の折畳部１５３が０．９ｃｍ、第４の折畳部１５４が１ｃｍである。
【００４８】
本実施例では、前記上縁１１０、前記下縁１２０、前記側縁１３０には、単列のエンボス模様１４０が設けられている。
【００４９】
本実施例では、前記ゴムひも２００は、平たいゴムひもであり、幅が５ｍｍである。
【００５０】
上述した説明に示されて記載された本考案の好適な実施例は、上述したように、理解すべきであるが、本考案は、本文に開示された態様に制限されず、別の実施例を除外すると認めてはならず、種々の他の組合せ、修飾や環境に用いることができ、また、本文に記載されている考案の発想の範囲内に、上述した教示又は関連分野の技術や知識に基づき、変更することができる。また、当業者による修飾や変更は、本考案の精神と範囲から逸脱しない限り、本考案に添付する実用新案登録請求の範囲に含まれるべきである。
【図１】
0003226521.tif 000003
【図２】
0003226521.tif 000004
【図３】
0003226521.tif 000005